(57)【特許請求の範囲】
【請求項１】
発光量を検出するフォトダイオードを備えたレーザーダイオードを駆動するレーザーダイオード駆動回路であって、前記フォトダイオードの出力端子に直列に接続した抵抗と、前記抵抗に並列に接続したコンデンサと、前記フォトダイオードの出力端子電圧を第１の基準電圧にホールドまたは開放する電圧ホールド回路と、前記フォトダイオードの出力端子電圧と第２の基準電圧との差を増幅する差動増幅器と、前記差動増幅器の出力端子に接続され、前記レーザーダイオードに電流を供給するトランジスタとを備え、前記差動増幅器の出力端子及び入力端子の間にツェナーダイオードと抵抗を直列に接続したことを特徴とするレーザーダイオード駆動回路。
【発明の詳細な説明】
【０００１】
【発明の属する技術分野】
本発明は、光通信において使用されるレーザーダイオードを駆動するためのレーザーダイオード駆動回路に関する。
【０００２】
【従来の技術】
光通信においては、光送信器で電気信号を光信号に変換し、光ファイバー等により光を伝達し、光受信器によって光信号を電気信号へ変換することで長距離の信号伝達が行われる。そして、このような光送信の分野では、高速の電気光変換が可能なレーザーダイオードが使用される。
【０００３】
以下、従来の光送信器において使用されていたレーザーダイオード駆動回路について説明する。
【０００４】
図５は従来のレーザーダイオード駆動回路の構成を示す回路図である。図５において、１はレーザーダイオード、２はフォトダイオード、３は電流電圧変換器、４は基準電圧発生器、５は差動増幅器、６はトランジスタ、７は抵抗、８はインダクタ、９は高速差動バッファ、１０はコンデンサ、３３はフィルタ回路である。
【０００５】
レーザーダイオード１及びフォトダイオード２は、通常同一のケース内に封止され、レーザーダイオード１が発する光の一部をフォトダイオード２によって受光して電流に変換することにより、レーザーダイオード１の発光量を検出することができる。フォトダイオード２から流れ出た電流ｉ１は電流電圧変換器３によって電圧Ｖ１に変換される。電流電圧変換器３には基準電圧発生器４より基準電圧ＶＲＥＦ３が供給されており、電流電圧変換器３の出力Ｖ１は、電流と電圧の変換係数をＺとして、
Ｖ１＝ＶＲＥＦ３＋Ｚ・ｉ１
で表される。
【０００６】
電流電圧変換器３の出力Ｖ１は差動増幅器５の正入力端子に入力される。差動増幅器５の負入力端子には基準電圧発生器４より基準電圧としてＶＲＥＦ２が供給される。差動増幅器５の出力Ｖ２は、増幅率をａとして、
Ｖ２＝ａ・（Ｖ１−ＶＲＥＦ２）
で表される。
【０００７】
差動増幅器５の出力は抵抗３１及びコンデンサ３２により構成されたフィルタ回路３３に接続され、フィルタ回路３３の出力はトランジスタ６のベースに接続される。トランジスタ６のエミッタは抵抗７を通して電源電圧ＶＣＣに、トランジスタ６のコレクタはインダクタ８を通してレーザーダイオード１のアノードに接続される。レーザーダイオード１に流れる電流ｉ２は、トランジスタ６のベースに印可される電圧Ｖ２によって制御され、Ｖ２が上昇するとｉ２は減少し、Ｖ２が下降するとｉ２は増加する。
【０００８】
レーザーダイオード１の駆動電流においては、発光開始に必要な電流値すなわちしきい値が温度変化によって大きく変動する。しかしながら、レーザーダイオード１、フォトダイオード２、電流電圧変換器３、差動増幅器５、フィルタ回路３３、トランジスタ６及びインダクタ８は閉ループ回路を構成しているので、発光量の変化を検出すると駆動電流を増減させ、レーザーダイオード１の発光量の変動を最小限に抑える。このような閉ループ回路では、電流電圧変換器３及び差動増幅器５の信号遅延によって発振する恐れがあるので、フィルタ回路３３により閉ループ回路の応答周波数を低下させて動作を安定化させ、閉ループ回路の発振を防止している。
【０００９】
送信データは変調されて高速差動バッファ９に入力される。高速差動バッファ９の出力信号はコンデンサ１０を介してレーザーダイオード１とインダクタ８の接続点に結線される。一般にデジタルの送信データの変調信号は、レーザーダイオード１の応答周波数の限界から最高周波数が数百ＭＨｚから数ＧＨｚに制限され、クロック抽出の容易性や上記の閉ループ回路との干渉を避ける目的で、最低周波数を数百ｋＨｚから数ＭＨｚ付近に制限されており、交流のみであるためコンデンサ１０を通過してレーザーダイオード１を変調することができる。一方、上記の閉ループ回路は直流成分から比較的低い周波数成分に限定してレーザーダイオード１を駆動するので、送信データの変調信号の周波数帯域とは重ならないことから相互に干渉せず、歪みの少ない信号の送信が可能である。また、トランジスタ６のコレクタ端子とレーザーダイオード１の間に挿入されたインダクタ８は、高速差動バッファ９の出力からみてトランジスタ６のインピーダンスがレーザーダイオード１のインピーダンスに比して十分高くなるように働き、高速差動バッファ９の出力波形が歪みなくレーザーダイオード１に伝達されるようにする役割を持つ。
【００１０】
ここで、光ファイバを用いた光通信においては、２つの通信装置の間を光ファイバにて接続して相互の通信を行う。接続の初期においては光ファイバが正常に接続されているかどうかを本来の送受信データを用いずに相互に確認できることが望ましい。そのためには、所定のプロトコルに従い送信光をオン・オフさせて相互に確認し、光ファイバがはずれているようであれば発光を停止して一定時間の経過の後に再び確認のプロトコルを実行する。正常な接続が確認された後に通信装置は送信光を連続発光としてデータの送信を行う。このような目的のために、通信用に用いるレーザーダイオード駆動回路においては発光をオン・オフさせる機能を持つべきである。
【００１１】
これに対し、図５に示したレーザーダイオード駆動回路においても、発光をオン・オフさせる機能を実現することは可能である。その方法の一つとして、基準電圧発生器４から差動増幅器５の負入力端子に供給される電圧Ｖ６を、本来の電圧である基準電圧ＶＲＥＦ２から急速に基準電圧ＶＲＥＦ３よりも低い電圧に引き下げることが挙げられる。
【００１２】
図５に示した従来のレーザーダイオード駆動回路において、レーザーダイオード１の発光のオン・オフ時の各部の時間的挙動を図６を用いて説明する。
【００１３】
レーザーダイオード１をオフさせる場合では、差動増幅器５の負入力端子の電圧Ｖ６は正入力端子の電圧よりも低くなり、差動増幅器５の出力電圧Ｖ２は最高飽和出力電圧すなわち電源電圧ＶＣＣに近い電圧まで上昇する。一方、フィルタ回路３３の出力電圧Ｖ７は所定の時定数をもって緩やかに上昇する。トランジスタ６によってレーザーダイオード１に供給される電流ｉ２は徐々に減少してゼロになり、電流値がしきい値よりも下がった時点でレーザーダイオード１の発光は停止する。電流電圧変換器３の出力Ｖ１は基準電圧ＶＲＥＦ３まで低下するが、Ｖ６はさらに低い電圧であるため、差動増幅器５の出力電圧Ｖ２は最高電圧を保ったままであり、発光は停止したまま保持される。
【００１４】
逆に、発光をオフ状態からオン状態に転じるには、基準電圧Ｖ６を元の基準電圧ＶＲＥＦ２に戻す。これにより、差動増幅器５の出力電圧Ｖ２はほぼゼロになり、フィルタ回路３３の出力電圧はＶＣＣ近傍からゼロ電位に向かって所定の時定数をもって緩やかに低下する。また、レーザーダイオード１に流れる電流も緩やかに増加し、定常状態の駆動電流値に達したところで閉ループ回路の制御動作により各部の電圧は平衡状態に向かい、若干の上下動の後安定に向かう。
【００１５】
発光をオン・オフさせる他の方法として、フィルタ回路３３の出力すなわちコンデンサ３２の両端をショート・オープンさせる方法がある。通常の場合では、発光状態より発光をオフさせるには、コンデンサ３２をショートさせる。このときトランジスタ６は即座に電流を遮断し、レーザーダイオード１は発光を速やかに停止させる。発光オフ状態において、電流電圧変換器３の出力Ｖ１は基準電圧ＶＲＥＦ３にほぼ一致し、差動増幅器５の出力Ｖ２は接地電位近傍にある。発光オフ状態から発光オン状態にするには、ショートしていたコンデンサ３２の両端を解放させる。差動増幅器５の出力Ｖ２は始め接地電位近傍にあり、コンデンサ３２は抵抗３１を通して固有の時定数をもって充電され、フィルタ回路３３の出力電圧は下降していく。トランジスタ６はレーザーダイオード１に流す電流を徐々に増加させ、電流値がしきい値を越えるとレーザーダイオード１は発光し始める。発光量が目標値に達すると、電流電圧変換器３の出力Ｖ１は基準電圧ＶＲＥＦ２にほぼ一致し、差動増幅器５の出力Ｖ２は急速に上昇して、フィルタ回路３３の出力電圧は下降を停止する。レーザーダイオード１に流れる電流も上昇を停止し、発光量も一定値に安定する。
【００１６】
【発明が解決しようとする課題】
しかしながら、前記従来のレーザーダイオード駆動回路においては、前記いずれの方法によってもフィルタ回路３３の働きによってレーザーダイオード１のオン・オフに要する時間が長くなっていた。特に、オフ時間に比べてオン時間は非常に長いために、光通信装置同士の接続確認の信号のやりとりには長時間を要する可能性があり、そのため接続確認信号は極めて簡単なものに制限する必要があった。
【００１７】
オン・オフ時間を短縮するためには、フィルタ回路３３の時定数を下げる必要があり、その結果閉ループ回路の安定性を確保するために電流電圧変換器３及び差動増幅器５には高価な高速品を使用しなければならなかった。さらには、閉ループ回路の応答周波数が高くなることによって、送信データの周波数帯域との干渉が発生して送信信号波形が劣化するという問題もある。
【００１８】
本発明において解決すべき課題は、レーザーダイオードの発光状態を安定に保ったままオン・オフの時間を短縮して接続確認の信号のやりとりを可能とした光通信用のレーザーダイオード駆動回路を提供することにある。
【００１９】
【課題を解決するための手段】
本発明は、発光量を検出するフォトダイオードを備えたレーザーダイオードを駆動するレーザーダイオード駆動回路であって、前記フォトダイオードの出力端子に直列に接続した抵抗と、前記抵抗に並列に接続したコンデンサと、前記フォトダイオードの出力端子電圧を第１の基準電圧にホールドまたは開放する電圧ホールド回路と、前記フォトダイオードの出力端子電圧と第２の基準電圧との差を増幅する差動増幅器と、前記差動増幅器の出力端子に接続され、前記レーザーダイオードに電流を供給するトランジスタとを備え、前記差動増幅器の出力端子及び入力端子の間にツェナーダイオードと抵抗を直列に接続したことを特徴とする。
【００２０】
この構成により、オン・オフ時間の短いレーザーダイオード駆動回路を提供することができる。
【００２１】
【発明の実施の形態】
請求項１に記載の発明は、発光量を検出するフォトダイオードを備えたレーザーダイオードを駆動するレーザーダイオード駆動回路であって、前記フォトダイオードの出力端子に直列に接続した抵抗と、前記抵抗に並列に接続したコンデンサと、前記フォトダイオードの出力端子電圧を第１の基準電圧にホールドまたは開放する電圧ホールド回路と、前記フォトダイオードの出力端子電圧と第２の基準電圧との差を増幅する差動増幅器と、前記差動増幅器の出力端子に接続され、前記レーザーダイオードに電流を供給するトランジスタとを備え、前記差動増幅器の出力端子及び入力端子の間にツェナーダイオードと抵抗を直列に接続したことを特徴とするものであり、電流電圧変換とフィルタの機能を集約させることができるとともに、レーザーダイオードの駆動電流の変化速度を増加させることができ、レーザーダイオードの発光のオン時にコンデンサの放電を加速することができるという作用を有する。
【００２４】
以下、本発明の実施の形態について図１から図４を用いて説明する。
（実施の形態１）
図１は本発明の実施の形態１におけるレーザーダイオード駆動回路の構成を示す回路ブロック図である。
【００２５】
図１において、１はレーザーダイオード、２はフォトダイオード、１１は抵抗、１２はコンデンサ、１３はフィルタ回路、１４は電圧ホールド回路である。なお、符号３〜１０までの部材はいずれもフィルタ回路１３の構成要素であり、従来例と同じであるので同一の符号を付している。また、フォトダイオード２及び電流電圧変換器３の働きは、従来の技術に示したものと同一であり、説明を省略する。
【００２６】
図１の回路構成においては、電流電圧変換器３の出力Ｖ１はフィルタ回路１３に入力され、差動増幅器５の正入力端子にはフィルタ回路１３の出力Ｖ３が入力され、負入力端子には基準電圧発生器４より第二の基準電圧としてＶＲＥＦ２が供給される。このとき、差動増幅器５の出力Ｖ２は、増幅率をａとして、
Ｖ２＝ａ・（Ｖ３−ＶＲＥＦ２）
で表される。
【００２７】
また、差動増幅器５の出力はトランジスタ６のベースに接続される。なお、トランジスタ６及び抵抗７の機能は従来の技術に示したものと同一であり、説明を省略する。
【００２８】
レーザーダイオード１の駆動電流においては、従来技術の項でも説明したように、発光開始に必要な電流値すなわちしきい値が温度変化によって大きく変動する。しかしながら、レーザーダイオード１、フォトダイオード２、電流電圧変換器３、フィルタ回路１３、差動増幅器５、トランジスタ６、及びインダクタ８は閉ループ回路を構成しているので、発光量の変化を検出すると駆動電流を増減させてレーザーダイオード１の発光量の変動を最小限に抑える。このような閉ループ回路は電流電圧変換器３及び差動増幅器５の信号遅延によって発振する恐れがあるために、フィルタ回路１３により閉ループ回路の応答周波数を低下させて動作を安定化させ、閉ループ回路の発振を防止している。フィルタ回路１３の時定数は従来の技術に示したものと大きな差をもつものではなく、従って閉ループ回路の発光量制御の特性も従来の技術とさほど変わらない。
【００２９】
送信データは変調されて高速差動バッファ９に入力される。なお、高速差動バッファ９、コンデンサ１０、インダクタ８の働きは従来の技術に示したものと同一である。
【００３０】
レーザーダイオード１の発光のオン・オフは電圧ホールド回路１４に入力されるオン・オフ制御入力により行う。電圧ホールド回路１４は基準電圧発生器４から第一の基準電圧としてＶＲＥＦ１を入力とし、出力をフィルタ回路１３の出力と接続している。
【００３１】
レーザーダイオード１の発光のオン・オフ時の各部の時間的挙動を図２を用いて説明する。図２は図１における各部の電圧、レーザーダイオードの駆動電流値及び発光量の時間的変化を示すグラフである。
【００３２】
レーザーダイオード１が通常発光状態にある場合、電流電圧変換器３の出力Ｖ１とフィルタ回路１３の出力Ｖ３とは全く等しく、かつ基準電圧ＶＲＥＦ２とはほぼ等しい。発光をオフにする場合、電圧ホールド回路１４はフィルタ回路１３の出力電圧を強制的に基準電圧ＶＲＥＦ１と等しくホールドする。基準電圧ＶＲＥＦ１は他方の基準電圧ＶＲＥＦ２よりもわずかに高い電圧なので、差動増幅器５のゲインが十分高い場合、出力Ｖ２は電源電圧ＶＣＣに近い最高出力電圧に達する。これにより、トランジスタ６は即座に電流ｉ２を遮断し、レーザーダイオード１は発光を速やかに停止する。オン・オフ制御入力より発光がオフになるまでの時間は、電圧ホールド回路１４、差動増幅器５、トランジスタ６及びレーザーダイオード１のそれぞれの遅延時間を加算した時間にほぼ等しく、フィルタ回路１３の時定数に依存しないために極めて短時間になる。
【００３３】
発光オフ状態から再び発光オン状態に戻す場合、電圧ホールド回路１４は出力をハイインピーダンスにしてフィルタ回路１３の出力を解放する。発光オフ状態ではフォトダイオード２に流れる電流ｉ１はゼロであり、電流電圧変換器３の出力Ｖ１は基準電圧ＶＲＥＦ３に等しい。フィルタ回路１３の出力Ｖ３は基準電圧ＶＲＥＦ１から基準電圧ＶＲＥＦ３に向かって固有の時定数ｔ１により徐々に低下していく。フィルタ回路１３の出力Ｖ３が基準電圧ＶＲＥＦ２に近づくことにより、差動増幅器５の出力Ｖ２を電源電圧ＶＣＣに近い最高電圧から急激に電圧を低下させ、トランジスタ６は電流ｉ２を流し始めて、レーザーダイオード１は発光し始める。発光が目標値に達するまでフォトダイオード２の電流ｉ１は急激に増加し、電流電圧変換器３の出力Ｖ１は基準電圧ＶＲＥＦ２に近づく。電流電圧変換器３の出力Ｖ１が基準ＶＲＥＦ２にほぼ等しいかわずかに高くなるとフィルタ回路１３の出力Ｖ３は電圧低下を停止し、若干の上下動の後、差動増幅器５の出力Ｖ２は一定値に安定する。同時にレーザーダイオード１の電流値、発光量ともにオーバーシュートの後、一定値に安定する。
【００３４】
ここで、発光オン動作を開始してから発光量が目標値に達するまでの時間は、フィルタ出力Ｖ３が基準電圧ＶＲＥＦ１から基準電圧ＶＲＥＦ２に低下するまでの時間ｔ２にほぼ等しく、
ｔ２＝ｔ１・（ＶＲＥＦ１−ＶＲＥＦ２）／（ＶＲＥＦ１−ＶＲＥＦ３）
で表される。基準電圧ＶＲＥＦ１とＶＲＥＦ２の電位差は、電源電圧ＶＣＣを差動増幅器５の増幅率ａで割った値よりも大きければよい。そして、この電位差は基準電圧ＶＲＥＦ１とＶＲＥＦ３の電位差に比べて圧倒的に小さいため、ｔ２はｔ１に比べて一桁以上小さくすることが可能であり、従来の技術に比べて短いオン時間を達成することが可能である。
【００３５】
なお、以上の説明では、フィルタ回路を単一の抵抗とコンデンサにて構成して説明しているが、フィルタの機能として低周波成分を通過させ、高周波成分を除去する働きを持つものであれば他の構成も可能である。ただし、位相遅れが大きくなるにつれて発光オン時のオーバーシュートが大きくなる傾向があるため、シンプルで位相遅れが少ないものが望ましい。
【００３６】
（実施の形態２）
図３は本発明の実施の形態２におけるレーザーダイオード駆動回路の構成を示す回路ブロック図である。図４は図３の駆動回路における各部の電圧、レーザーダイオードの駆動電流値及び発光量の時間的変化を示すグラフである。
【００３７】
図３において、１はレーザーダイオード、２はフォトダイオード、１１は抵抗、１２はコンデンサ、１４は電圧ホールド回路、１５はツェナーダイオード、１６は抵抗である。なお、符号４〜１０までの部材は実施の形態１に示したものと同一であり、説明を省略する。
【００３８】
本実施の形態において実施の形態１と異なるのは、抵抗１１とコンデンサ１２の組み合わせがフィルタ回路の機能を有するとともに、フォトダイオード２の電流ｉ１を電圧に変換する機能を併せ持っていること、差動増幅器５の入力の極性が入れ替わっていること、さらにツェナーダイオード１５と抵抗１６とが追加されていることである。
【００３９】
次に本実施の形態におけるレーザーダイオード駆動回路の動作について説明する。
【００４０】
基準電圧発生器４からは差動増幅器５に対し第２の基準電圧ＶＲＥＦ２、抵抗１１とコンデンサ１２の接続点に対し基準電圧ＶＲＥＦ４、電圧ホールド回路１４の入力に対し第１の基準電圧ＶＲＥＦ５が供給されている。フォトダイオード２の電流ｉ１は抵抗１１によって電圧に変換される。フォトダイオード２の出力端子の電圧Ｖ５は、抵抗１１の値をＲ１１とすると静的にはＶ５＝ＶＲＥＦ４−Ｒ１１・ｉ１で表される。しかしながら、実際には、コンデンサ１２がフィルタの働きをするため、動的には抵抗１１とコンデンサ１２によって決まる時定数をもってゆるやかに変化する。つまり、抵抗１１とコンデンサ１２とは、フォトダイオード２の電流ｉ１に対する電流電圧変換とフィルタの２つの機能を兼ねている。
【００４１】
通常発光時には、電圧ホールド回路１４はオン命令入力により出力を解放している。差動増幅器５の正入力端子には第２の基準電圧ＶＲＥＦ２が、負入力端子にはフォトダイオード２の出力端子の電圧Ｖ５が直接入り、両者の差分が増幅されて電圧値Ｖ２として出力される。通常発光時の電圧値Ｖ２とフォトダイオード２の出力端子の電圧Ｖ５の電位差はツェナーダイオード１５の降伏電圧ＶＺよりも小さく、かつ電圧値Ｖ２がフォトダイオード２の出力端子の電圧Ｖ５よりも大きく低下することのないように抵抗７の値を調整しているために、ツェナーダイオード１５と抵抗１６には電流が流れない。
【００４２】
なお、トランジスタ６、インダクタ８、高速差動バッファ９及びコンデンサ１０の働きは実施の形態１に示したものと同様の動作をし、レーザーダイオード１は正常に発光が制御され、変調されたデータの送信を行う。
【００４３】
次いで、発光のオン・オフ時の動作を説明する。
通常発光時より発光をオフにする場合、電圧ホールド回路１４に対し、オフ命令を入力する。電圧ホールド回路１４はフォトダイオード２の出力端子電圧Ｖ５を強制的に第１の基準電圧ＶＲＥＦ５にホールドする。第１の基準電圧ＶＲＥＦ５は第２の基準電圧ＶＲＥＦ２よりもわずかに低いために、差動増幅器５の出力Ｖ２は電源電圧に近い最高電圧に達する。これにより、トランジスタ６は電流を遮断し、レーザーダイオード１は発光を速やかに停止する。このときツェナーダイオード１５と抵抗１６には、差動増幅器５の出力端子側から負入力端子側に向かって電流ｉ３が流れており、抵抗１６の値をＲ１６とすると、ｉ３＝（Ｖ２−Ｖ５−ＶＺ）／Ｒ１６となるが、この電流は電圧ホールド回路１４に吸収され、レーザーダイオード駆動回路の発光オフ動作に影響を与えない。
【００４４】
一方、発光オフ状態から発光オン状態に変える場合では、電圧ホールド回路１４に対してオン命令を入力し、これにより電圧ホールド回路１４はフォトダイオード２の出力端子をホールド状態から解放する。一方、フォトダイオード２には電流が流れていないため、フォトダイオード２の出力端子電圧Ｖ５は第１の基準電圧ＶＲＥＦ５から基準電圧ＶＲＥＦ４に向かって上昇しようとする。このとき、フォトダイオード２、抵抗１１及びコンデンサ１２の接続点には、ツェナーダイオード１５と抵抗１６を通して電流ｉ３が流れ込んでコンデンサ１２を急速に放電するため、電圧Ｖ５の上昇速度は、抵抗１１とコンデンサ１２で構成される時定数で定まる速度よりも加速される。そして、フォトダイオード２の出力端子電圧Ｖ５が第２の基準電圧ＶＲＥＦ２に近づくと、電源電圧付近で飽和していた差動増幅器５の出力Ｖ２が急速に降下する。差動増幅器５の出力Ｖ２とフォトダイオード２の出力端子電圧Ｖ５の電位差がツェナーダイオード１５の降伏電圧ＶＺよりも小さくなると、ツェナーダイオード１５及び抵抗１６を流れていた電流ｉ３は遮断され、電圧Ｖ５の上昇速度は緩やかになる。レーザーダイオード１に電流が流れ始めてしきい値を越え、発光し始めるとフォトダイオード２にも電流が流れ始める。フォトダイオード２の電流ｉ１が上昇するにつれて、フォトダイオード２の出力端子電圧Ｖ５は上昇速度を一層緩め、レーザーダイオード１の発光量が目標値に達した時点で電圧Ｖ５は上昇を停止する。回路系のわずかな時間遅延のために発光はわずかにオーバーシュートするが、すぐに目標値に収束して安定に発光を持続する。
【００４５】
以上のように、本実施の形態においては、実施の形態１と同様の発光オフ速度と、実施の形態１以上の発光オン速度を得ることができる。
【００４６】
【発明の効果】
本発明のレーザーダイオード駆動回路によれば、簡易な回路構成で短時間での発光のオン・オフが可能となり、その結果、比較的複雑な相互の接続確認信号のやりとりが可能となる。したがって、ファイバ接続の有無の確認だけでなく、相互のデータの変調レート、プロトコル方式などもやりとりすることによって、光通信装置の機能を大幅に向上させることができる。更に、発光量制御の安定性を犠牲にすることなく、安価で比較的低速な回路素子を使用することができ、コスト面の改善も図られる。
【図面の簡単な説明】
【図１】本発明の実施の形態１におけるレーザーダイオード駆動回路の構成を示す回路ブロック図
【図２】図１の駆動回路における各部の電圧、レーザーダイオードの駆動電流値及び発光量の時間的変化を示すグラフ
【図３】本発明の実施の形態２におけるレーザーダイオード駆動回路の構成を示す回路ブロック図
【図４】図３の駆動回路における各部の電圧、レーザーダイオードの駆動電流値及び発光量の時間的変化を示すグラフ
【図５】従来のレーザーダイオード駆動回路の構成を示す回路図
【図６】図５の駆動回路における各部の電圧、レーザーダイオードの駆動電流値及び発光量の時間的変化を示すグラフ
【符号の説明】
１  レーザーダイオード
２  フォトダイオード
３  電流電圧変換器
４  基準電圧発生器
５  差動増幅器
６  トランジスタ
７  抵抗
８  インダクタ
９  高速差動バッファ
１０  コンデンサ
１１  抵抗
１２  コンデンサ
１３  フィルタ回路
１４  電圧ホールド回路
１５  ツェナーダイオード
１６  抵抗
【図１】
0003651252.tif 000002
【図２】
0003651252.tif 000003
【図３】
0003651252.tif 000004
【図４】
0003651252.tif 000005
【図５】
0003651252.tif 000006
【図６】
0003651252.tif 000007